(57)【要約】  【課題】  本発明は，打合せ中に，個々の考えやメモを容易に共有することができるメモ帳付きテーブルを提供することを目的とする。    【解決手段】  上記課題は，テーブル（２）と，前記テーブルの天板上に設けられ，前記天板を覆い，前記テーブルに固定されたメモ帳（３）と，を具備するメモ帳付きテーブルにより解決される。本発明によれば，打合せテーブルそのものが，メモ帳の役割を果たすので，打合せ中に，個々の考えやメモを容易かつ迅速に共有することができるメモ帳付きテーブルを提供することができる。  【選択図】  図１
2009005879.tif 000002
【特許請求の範囲】
【請求項１】
テーブル（２）と，
前記テーブルの天板上に設けられ，
前記天板を覆い，
前記テーブルに搭載されたメモ帳（３）と，
を具備するメモ帳付きテーブル。
【請求項２】
前記メモ帳（３）は前記テーブルに固定される請求項１に記載のメモ帳付きテーブル。
【請求項３】
前記テーブルは，
高さが５０ｃｍ以上１ｍ以下である，請求項２に記載のメモ帳付きテーブル。
【請求項４】
前記テーブルの天板は，前記メモ帳を固定するための固定穴（２１）を有し，
前記メモ帳は，メモ帳本体と，前記メモ帳本体と接続され，前記固定穴（２１）にはめることで，前記テーブルと前記メモ帳本体とを固定するための接続端（２２）を有する，
請求項２に記載のメモ帳付きテーブル。
【発明の詳細な説明】
【技術分野】
【０００１】
本発明は、メモ帳付きテーブルなどに関する。
【背景技術】
【０００２】
従来の会議では，ホワイトボードなどを用いて，ある者がプレゼンテーションを行い，それに基づいて議論していた。このような会議方法では，プレゼンテーションを行う者の発言が全体にいきわたるものの，個々の知識などは必ずしも迅速に共有されないという問題がある。
【０００３】
なお，天板の上に紙を設置するものとしては，アンケートデスクが知られている（たとえば，下記特許文献１）。しかしながら，多くの者の知識を容易に共有させることはできない。
【特許文献１】特開２００４−３２９４７０号公報
【発明の開示】
【発明が解決しようとする課題】
【０００４】
本発明は，打合せ中に，個々の考えやメモを容易かつ迅速に共有することができるメモ帳付きテーブルを提供することを目的とする。      
【課題を解決するための手段】
【０００５】
本発明は，基本的には，会議を行うテーブルの天板上に，その天板を覆うメモ帳を固定することで，各自が打ち合わせ中に，各自の前面にメモを書くことができ，そのメモを用いて，容易に参加者全体で情報を共有できるという知見に基づくものである。
【０００６】
すなわち，本発明は，テーブル（２）と，テーブルの天板上に設けられた天板を覆い，テーブルに搭載されたメモ帳（３）と，を具備するメモ帳付きテーブル（１）に関する。メモ帳（３）は，好ましくはテーブルに固定される。
【０００７】
本発明は，単にデザインを工夫したメモ帳というよりは，会議を有効に行うためのメモ帳付きテーブルに関する。よって，テーブルは，会議に用いることができるサイズのものが好ましい。よって，本発明におけるテーブルの高さは，５０ｃｍ以上１ｍ以下であるものが好ましい。
【０００８】
本発明は，メモ帳を使いきった際に，再度メモ帳をのりやテープなどでテーブルに固定してもよい。一方，テーブルの天板は，メモ帳を固定するための固定穴（２１）を有し，メモ帳は，メモ帳本体と，メモ帳本体と接続され，固定穴（２１）にはめることで，テーブルとメモ帳本体とを固定するための接続端（２２）を有するものは，本発明の好ましい態様である。このようなテーブル及びメモ帳の組み合わせを用いることで，容易にメモ帳を交換することができる。
【発明の効果】
【０００９】
本発明によれば，打合せテーブルそのものが，メモ帳の役割を果たすので，打合せ中に，個々の考えやメモを容易かつ迅速に共有することができるメモ帳付きテーブルを提供することができる。  
【発明を実施するための最良の形態】
【００１０】
以下，図面に基づいて本発明を説明する。図１は，本発明のメモ帳付きテーブルを説明するための概念図である。図１に示されるように，本発明のメモ帳付きテーブル（１）は，テーブル（２）と，テーブルの天板上に設けられた天板を覆い，テーブルに搭載又は固定されたメモ帳（３）と，を具備する。
【００１１】
本発明は，単にデザインを工夫したメモ帳というよりは，会議を有効に行うためのメモ帳付きテーブルに関する。よって，テーブル（２）は，会議に用いることができるサイズのものが好ましい。よって，本発明におけるテーブルは，天板と，天板を支える脚部とを具備し，脚部の天板を支える方向の長さ（すなわち，テーブルの高さ）が，５０ｃｍ以上１ｍ以下であるものが好ましい。天板の大きさは，公知のものを適宜もちいることができる。一方，テーブルは，一人用のテーブルであってもよいが，多くの者の意見や専門知識を共有するという観点から，テーブルは２人掛け，３人掛け，４人掛けなど複数人が座ることができるものであることが望ましい。そのような観点から，テーブルの天板の面積として，０．２５ｍ２以上３０ｍ２以下があげられ，１ｍ２以上１０ｍ２以下が好ましい。
【００１２】
メモ帳は，１枚ではなく，服数枚の同サイズの紙を束ねたものが好ましい。メモ帳に含まれる具体的な紙の枚数として，１０以上１０００以下があげられる。メモ帳の紙のサイズは，テーブルの天板と同サイズ又は，テーブルの天板より一端が１ｃｍ以上１０ｃｍ以下程度長いものがあげられる。ただし，メモ帳の紙の面積は，テーブルの天板の面積の８０％以上１１０％以下でもよく，９０％以上１００％以下でもよい。すなわち，本明細書において，メモ帳がテーブルを覆うとは，メモ帳がテーブルの天板表面の全てを覆いつくしている場合のみならず，実質的に覆っている場合も含む。
【００１３】
図２は，本発明のメモ帳付きテーブルの製造方法の一例を示す図である。すなわち，本発明のメモ帳付きテーブルは，公知のテーブル（２）を用意するとともに，そのテーブルと同形のメモ帳（３）を用意する。そして，テーブル上にメモ帳を搭載すればよい。また，好ましくは，テーブル（２）の一端部（１１）にのり又は両面テープを用いて，メモ帳（３）を固定する。このようにすれば，本発明のメモ帳付きテーブルを製造できる。メモ帳を使いきった際に，再度メモ帳をのりやテープなどでテーブルに固定してもよい。
【００１４】
図３は，本発明のメモ帳付きテーブルの製造方法の一例を示す図である。図３（ａ）は，固定前のメモ帳付きテーブルを示し，図３（ｂ）は固定後のメモ帳付きテーブルを示す。この例では，テーブルの天板は，メモ帳を固定するための固定穴（２１）を有する。一方，メモ帳は，メモ帳本体と，メモ帳本体と接続され，固定穴（２１）にはめることで，テーブルとメモ帳本体とを固定するための接続端（２２）を有するものは，本発明の好ましい態様である。このようなテーブル及びメモ帳の組み合わせを用いることで，容易にメモ帳を交換することができる。固定穴（２１）は，たとえば，テーブルの天板のある側面に設けられていてもよい。固定穴（２１）の大きさは，たとえば，幅が１０ｃｍ以上１ｍ以下があげられる。固定穴（２１）の奥行きは，たとえば，５ｃｍ以上５０ｃｍ以下があげられる。なお，このメモ帳付きテーブルは，たとえば，接続端（２２）とメモ帳の接続部分に対応した分だけ，メモ帳がテーブルより大きくてもよい。
【００１５】
図４は，本発明のメモ帳付きテーブルの使用状態の例を示す図である。すなわち，テーブルに複数の者が座り，各自，メモ帳のうち自分に近い領域にメモを作成する。そして，そのメモを通して，参加者全員で共有することが望ましい知見が得られた場合，参加者全員の注意を喚起するとともに，そのメモを全員で見ることができる。このようにして，参加者のうちある者が得た知見をリアルタイムに共有することができることとなる。
【００１６】
図５は，本発明のメモ帳付きテーブルの上記とは異なる態様を示す図である。図５（ａ）は，テーブルの形が楕円形のものを示し，図５（ｂ）はメモ帳が分割されているものを示す。図５（ａ）に示されるとおり，テーブルの形状は公知の形状を適宜採用すればよく，正方形，長方形，円形，楕円形又は多角形などであってもよい。また，メモ帳は，テーブルの大きさに合わせた１つのものであることが望ましいが，図５（ｂ）に示されるように，いくつかに分割されていてもかまわない。
【産業上の利用可能性】
【００１７】
本発明は，家具業などの分野で利用されうる。また，本発明は，家電産業などにおいて利用されうる。
【図面の簡単な説明】
【００１８】
【図１】図１は，本発明のメモ帳付きテーブルを説明するための概念図である。
【図２】図２は，本発明のメモ帳付きテーブルの製造方法の一例を示す図である。
【図３】図３は，本発明のメモ帳付きテーブルの製造方法の一例を示す図である。
【図４】図４は，本発明のメモ帳付きテーブルの使用状態の例を示す図である。
【図５】図５は，本発明のメモ帳付きテーブルの上記とは異なる態様を示す図である。図５（ａ）は，テーブルの形が楕円形のものを示し，図５（ｂ）はメモ帳が分割されているものを示す。
【符号の説明】
【００１９】
１  メモ帳付きテーブル
２  テーブル
３  メモ帳
【図１】
2009005879.tif 000003
【図２】
2009005879.tif 000004
【図３】
2009005879.tif 000005
【図４】
2009005879.tif 000006
【図５】
2009005879.tif 000007